(57)【要約】【課題】本発明は、高速動作のオペアンプを少なくすることで消費電力及び部品コストを小さくしつつ、高速転送が可能なスケルチ検出回路を提供する。【解決手段】差動増幅回路１に入力された入力差動信号は、増幅され増幅信号としてゲイン比例回路２に出力される。ゲイン比例回路２では、増幅信号に比例する電位を電位保持回路３に供給する。電位保持回路３では、ゲイン比例回路２から供給された電位を保持する。比較回路４では、電位保持回路３で保持された電位と基準電位とを比較しスケルチ状態か非スケルチ状態かを判定し、その結果を検出信号として出力する。【選択図】図１
2005086646.tif 000002
【特許請求の範囲】
【請求項１】
差動の入力信号を増幅し、増幅信号を出力する差動増幅回路と、
前記増幅信号に比例した電位を供給するゲイン比例回路と、
前記ゲイン比例回路から供給された前記電位を保持する電位保持回路と、
前記電位保持回路で保持された前記電位と基準電位とを比較して検出信号を出力する比較回路とを備える、
スケルチ検出回路。
【請求項２】
請求項１に記載のスケルチ検出回路であって、
前記差動増幅回路は、差動の前記入力信号を増幅し、シングルエンドの前記増幅信号を出力する第１オペアンプで構成され、
前記ゲイン比例回路は、シングルエンドの前記増幅信号を制御電極に入力し、第１電流電極より前記電位保持回路に電位を供給するｎ型トランジスタで構成され、
前記電位保持回路は、
一方の端子が前記ｎ型トランジスタの第１電流電極に接続され、他方の端子がＧＮＤに接続されている第１電流源と、
一方の端子が前記ｎ型トランジスタの第１電流電極及び前記第１電流源に接続され、他方の端子がＧＮＤに接続されている第１容量とで構成され、
前記比較回路は、前記電位保持回路で保持された前記電位と前記基準電位とが入力される第２オペアンプで構成されていることを特徴とする、
スケルチ検出回路。
【請求項３】
請求項１に記載のスケルチ検出回路であって、
前記差動増幅回路は、差動の前記入力信号を増幅し、シングルエンドの前記増幅信号を出力する第１オペアンプで構成され、
前記ゲイン比例回路は、シングルエンドの前記増幅信号を制御電極に入力し、第１電流電極より前記電位保持回路に電位を供給するｐ型トランジスタで構成され、
前記電位保持回路は、
一方の端子が前記ｐ型トランジスタの第１電流電極に接続され、他方の端子が電源電位に接続されている第１電流源と、
一方の端子が前記ｐ型トランジスタの第１電流電極及び前記第１電流源に接続され、他方の端子が電源電位に接続されている第１容量とで構成され、
前記比較回路は、前記電位保持回路で保持された前記電位と前記基準電位とが入力される第２オペアンプで構成されていることを特徴とする、
スケルチ検出回路。
【請求項４】
請求項１に記載のスケルチ検出回路であって、
前記差動増幅回路は、差動の前記入力信号を増幅し、差動の前記増幅信号を出力する第３オペアンプで構成され、
前記ゲイン比例回路は、
差動の一方の前記増幅信号を制御電極に入力し、第１電流電極より前記電位保持回路に電位を供給する第１ｎ型トランジスタと、
差動の他方の前記増幅信号を制御電極に入力し、第１電流電極より前記電位保持回路に電位を供給する第２ｎ型トランジスタとで構成され、
前記電位保持回路は、
一方の端子が前記第１及び第２ｎ型トランジスタの第１電流電極に接続され、他方の端子がＧＮＤに接続されている第２電流源と、
一方の端子が前記第１及び第２ｎ型トランジスタの第１電流電極及び前記第２電流源に接続され、他方の端子がＧＮＤに接続されている第２容量とで構成され、
前記比較回路は、前記電位保持回路で保持された前記電位と前記基準電位とが入力される第４オペアンプで構成されていることを特徴とする、
スケルチ検出回路。
【請求項５】
請求項１に記載のスケルチ検出回路であって、
前記差動増幅回路は、差動の前記入力信号を増幅し、差動の前記増幅信号を出力する第３オペアンプで構成され、
前記ゲイン比例回路は、
差動の一方の前記増幅信号を制御電極に入力し、第１電流電極より前記電位保持回路に電位を供給する第１ｐ型トランジスタと、
差動の他方の前記増幅信号を制御電極に入力し、第１電流電極より前記電位保持回路に電位を供給する第２ｐ型トランジスタとで構成され、
前記電位保持回路は、
一方の端子が前記第１及び第２ｐ型トランジスタの第１電流電極に接続され、他方の端子が電源電位に接続されている第２電流源と、
一方の端子が前記第１及び第２ｐ型トランジスタの第１電流電極及び前記第２電流源に接続され、他方の端子が電源電位に接続されている第２容量とで構成され、
前記比較回路は、前記電位保持回路で保持された前記電位と前記基準電位とが入力される第４オペアンプで構成されていることを特徴とする、
スケルチ検出回路。
【請求項６】
請求項１乃至請求項５のいずれかに記載のスケルチ検出回路であって、
前記差動増幅回路、前記ゲイン比例回路及び前記電位保持回路と同じ回路構成を有し、差動の前記入力信号に代えて一定の電圧が印加されるレプリカ回路をさらに備え、
前記比較回路は、前記基準電位の代わりに前記レプリカ回路からの出力電位が入力されることを特徴とする、
スケルチ検出回路。
【発明の詳細な説明】
【技術分野】
【０００１】
本発明は、スケルチ検出回路に係る発明であって、特に、シリアルインターフェースに用いられるスケルチ検出回路に関するものである。
【背景技術】
【０００２】
近年、デジタルデータの送受信に用いられるインターフェースは、高速化、小振幅化、差動化及びシリアル化が進んでいる。これらの原因としてデジタルデータの大容量化があげられる。この大容量デジタルデータ（例えば映像や動画）を遅滞なく送受信するためには、インターフェースを高速化することが必要である。高速化するために転送クロックを上げることも考えられるが、これには物理的な限界が存在する。そこで、高速化する手段として送受信される信号を小振幅化する。信号を小振幅化すると信号の立ち上がりや立ち下がりにおいてスルーレートが緩和され、信号の送受信が高速化される。
【０００３】
但し、信号を小振幅化するとノイズに対する耐性が小さくなる問題が発生する。この問題を回避するために、信号を差動化しノイズに対しての耐性を高くしている。また、インターフェースをシリアル化することでクロストークに対して強くなり、低コストで製造することができる利点がある。以上の観点より、近年パソコンや周辺装置等にはＵＳＢ２．０などが採用されている。さらに、ＵＳＢ２．０より高速なインターフェースとして、ＳｅｒｉａｌＡＴＡの規格化が進められている。
【０００４】
これらシリアルインターフェースには、信号にデータが含まれているか否かを検出するためのスケルチ検出回路が備えられている。このスケルチ検出回路は、データの有無の時間間隔によって一種のパターンを作成し、データ送受信の前段階の通信を確立するために使用されることが多い。また、スケルチ検出回路は、信号のスケルチ（無信号）状態を検出する回路である。ここでスケルチ状態は、入力差動信号のＶｉｎ＋とＶｉｎ−とが同電位である場合と定義されているが、現実的には入力差動信号のＶｉｎ＋とＶｉｎ−とが完全に同電位あることは難しく、ある程度の範囲の電位差を生じている。例えば、ＳｅｒｉａｌＡＴＡの規格では、シングルエンドに変換した後の振幅において、５０ｍＶ〜２００ｍＶの間にスケルチと非スケルチとを分ける基準を設けることになっている。１００ｍＶに基準を設けると、シングルエンド変換後の信号が振幅５０ｍＶの場合はスケルチ状態と判断され、シングルエンド変換後の信号が振幅１５０ｍＶの場合は非スケルチ状態（信号レベル）と判断される。
【０００５】
次に、従来のスケルチ検出回路について説明する。まず、スケルチ検出回路には、入力差動信号が入力されるオペアンプとスケルチ状態の判定基準に応じた電圧が入力されるオペアンプが設けられている。それぞれのオペアンプの＋側出力同士は接続され、−側出力同士も接続されている。そのため、出力される差動信号には、片側にオフセット値が付加されたような波形となる。それぞれのオペアンプのゲインが１倍の場合、オフセット値はスケルチ状態の判定基準に応じた電圧値となる。
【０００６】
片側にオフセット値が付加された差動信号を複数段のオペアンプで増幅していくことにより、最終的な信号が得られる。この片側にオフセット値が付加された差動信号には、＋側の信号と−側の信号が存在する。この＋側の信号と−側の信号がオフセット値より大きな振幅を有するのであれば互いに信号が重なることになり、最終的にデータに対応する出力信号が得られる。また、この＋側の信号と−側の信号がオフセット値より小さな振幅を有するのであれば互いに信号が重なることはなく、最終的にローレベルに固定された出力信号が得られる。このように動作することで従来のスケルチ検出回路は、スケルチ状態と非スケルチ状態とを検出している。
【０００７】
なお、スケルチ検出回路の動作は、信号のレシーバ回路の動作と類似している。しかし、スケルチ検出回路では、オフセット値を付加することでスケルチ状態と非スケルチ状態とを検出しているため、オフセット値が不要なレシーバ回路とは異なる。仮に、スケルチ検出回路にレシーバ回路の機能を持たせると、オフセット値の付加により最終的に得られるデータのデューティ比に影響を与える問題がある。そこで、レシーバ回路は、スケルチ検出回路とは別に設けられることになる。
【０００８】
次に、特許文献１及び特許文献２には、従来のスケルチ検出回路を改良したものが記載されている。この特許文献１及び特許文献２に記載されたスケルチ検出回路は、ピークホールド回路が、入力信号のピーク値を所与のノードに保持する。そして、定電位設定回路が、ピークホールド回路によりピーク値を保持することにより変化する所与のノードの電位を、ピーク値の保持による電位変化よりも大きな時定数で、常に一定電位に戻す。さらに、比較回路が、ピーク値が保持され、ゆっくりと一定電位に戻されるノードの電位を、所与の基準レベルと比較し、その比較結果を検出信号として出力する。
【０００９】
【特許文献１】特開２００２−３４４５４０号公報（第８−１９頁、第１−１４図）
【特許文献２】特開２００２−３４４５４１号公報（第７−１６頁、第１−１０図）
【発明の開示】
【発明が解決しようとする課題】
【００１０】
しかし、従来のスケルチ検出回路では、入力差動信号から最終的な出力信号を得るためには、レシーバ回路相当かそれ以上の増幅性能が必要としていた。そのため、従来のスケルチ検出回路には、複数段のオペアンプが必要となり消費電力が膨大になるという問題があった。実際にＵＳＢ２．０（転送速度４８０Ｍｂｐｓ）では６〜７段のオペアンプが必要となる。また、ＵＳＢ２．０など高速の転送速度を有する場合は、オペアンプも高速に動作する必要があり、部品のコストも膨大になる。
【００１１】
さらに、オペアンプを複数設ける場合、個々のオペアンプの電気特性の違い、動作の時の温度差や供給される電圧差により、個々のオペアンプの増幅率が変動することになる。個々のオペアンプの変動により、従来のスケルチ検出回路は安定に動作し難いという問題点もあった。
【００１２】
特許文献１及び特許文献２に記載されているスケルチ検出回路は、ピークホールド回路を使用するものであるため、従来のスケルチ検出回路のように複数段のオペアンプが不要である。そのため、特許文献１及び特許文献２に記載されているスケルチ検出回路でも、上記の問題点は解決することは可能である。しかし、特許文献１及び特許文献２に記載されているスケルチ検出回路は、回路構成上帰還する部分を含むため、ホールドされるピーク値が制限される。そのため、転送速度４８０ＭｂｐｓのＵＳＢ２．０までは、ピーク値が制限されるスケルチ検出回路を用いても動作させることは可能であったが、転送速度１．５ＧｂｐｓのＳｅｒｉａｌＡＴＡでは、ピーク値が制限されるスケルチ検出回路を用いると十分なゲインが得られず動作できない場合があるという問題点があった。
【００１３】
そこで、本発明は、高速動作のオペアンプを少なくすることで消費電力及び部品コストを小さくしつつ、高速転送が可能なスケルチ検出回路を提供することを目的とする。
【課題を解決するための手段】
【００１４】
本発明に係る解決手段は、差動の入力信号を増幅し、増幅信号を出力する差動増幅回路と、増幅信号に比例した電位を供給するゲイン比例回路と、ゲイン比例回路から供給された電位を保持する電位保持回路と、電位保持回路で保持された電位と基準電位とを比較して検出信号を出力する比較回路とを備える。
【発明の効果】
【００１５】
本発明に記載のスケルチ検出回路は、差動の入力信号を増幅し、増幅信号を出力する差動増幅回路と、増幅信号に比例した電位を供給するゲイン比例回路と、ゲイン比例回路から供給された電位を保持する電位保持回路と、電位保持回路で保持された電位と基準電位とを比較して検出信号を出力する比較回路とを備えるので、高速動作のオペアンプを減らせることができ、消費電力を低減できる。また、コストの高い高速動作のオペアンプを減らせることができるため、部品コストも小さくできる。さらに、オペアンプの増幅回数が減ることになるため、温度や電気特性のバラツキによる影響が受けにくくなり安定動作が可能となる。また、入力差動信号に比例した電位を得られるため、従来のスケルチ検出回路のように入力差動信号の制限を受けなくなる効果がある。
【発明を実施するための最良の形態】
【００１６】
以下、本発明をその実施の形態を示す図面に基づいて具体的に説明する。
【００１７】
（実施の形態１）
図１に、本実施の形態に係るスケルチ検出回路のブロック図を示す。図１では、差動増幅回路１に入力された入力差動信号は、増幅され増幅信号としてゲイン比例回路２に出力される。ゲイン比例回路２では、増幅信号に比例する電位を電位保持回路３に供給する。電位保持回路３では、ゲイン比例回路２から供給された電位を保持する。比較回路４では、電位保持回路３で保持された電位と基準電位とを比較しスケルチ状態か非スケルチ状態かを判定し、その結果を検出信号として出力する。
【００１８】
図２に、本実施の形態に係るスケルチ検出回路の回路図を示す。図２では、差動増幅回路１にオペアンプ１１が設けられており、このオペアンプ１１が入力差動信号を増幅してシングルエンドの増幅信号を出力している。ゲイン比例回路２には、ｎチャネルトランジスタ１２が設けられており、このｎチャネルトランジスタ１２のゲート電極に増幅信号が印加されることで、増幅信号に比例した電位を電位保持回路３に供給している。なお、本発明は、ｎチャネルトランジスタ１２に限られず、バイポーラトランジスタであっても良い。
【００１９】
電位保持回路３には、電流源１３と容量１４が設けられており、電流源１３及び容量１４の一方の端子がｎチャネルトランジスタ１２のソース電極に接続され、他方の端子がＧＮＤにそれぞれ接続されている。比較回路４には、オペアンプ１５が設けられており、このオペアンプ１５の＋側端子に電位保持回路３からの電位が供給され、−側端子に基準電位となる定電圧源１６からの電位が供給される。
【００２０】
次に、本実施の形態に係るスケルチ検出回路の動作について説明する。図３（ａ）は、オペアンプ１１に入力される入力差動信号ｖｉｎ＋，ｖｉｎ−である。この入力差動信号ｖｉｎ＋，ｖｉｎ−がオペアンプ１１でシングルエンドの増幅信号ａに変換され図３（ｂ）のような波形として出力される。この増幅信号ａが、ｎチャネルトランジスタ１２のゲート電極に入力されることで、ｎチャネルトランジスタ１２が動作し増幅信号ａに比例した電位を電位保持回路３に供給する。ｎチャネルトランジスタ１２のソース電極の電位ｖは、増幅信号ａの立ち上がりに従って急峻に立ち上がる。しかし、増幅信号ａが立ち下がる際には電流源１３を介して電荷を逃がす必要があるため、ｎチャネルトランジスタ１２のソース電極の電位ｖは、増幅信号ａに遅れて一定の割合で立ち下がる。
【００２１】
さらに、電位保持回路３には容量１４が設けられているためトランジスタ１２のソース電極の電位ｖは、一定期間保持されることになる。図３（ｃ）に、増幅信号ａが入力された場合の電位保持回路３の出力電位ｖが示されている。図３（ｃ）では、増幅信号ａの立ち上がりに従って、ｎチャネルトランジスタ１２のソース電極の電位ｖは急峻に立ち上がり、その後保持されている。ここで、図３（ｃ）の波形の最初の部分は、増幅信号ａの立ち上がりに追従できず、十分に電位が立ち上がらず、電位が他よりも低くなっている。また、図３（ｃ）では、増幅信号ａが立ち下がる期間においても電位ｖはピーク値を保っているが、これは、電位保持回路３による作用であり、容量１４に保持された電荷を一定量ずつしか電流源１３を通って逃がすことができないため、一定の割合で電位が低下するような波形となる。
【００２２】
電位保持回路３で保持された電位ｖは、オペアンプ１５の＋側に入力されることになる。一方、従来のスケルチ検出回路においてオペアンプ１５の−側には、入力差動信号の中点電位であるＶＣＭ電位に一定のオフセットを付加した電位が入力されている。しかし、本実施の形態では、オペアンプ１５の＋側に入力される電位が入力差動信号に比例した相対的な値であり絶対値が不明であるため、オペアンプ１５の−側にＶＣＭ電位を利用することができない。そこで、本実施の形態では、回路シミュレーションにより求めた比較電位をオペアンプ１５の−側に入力する。図２では、定電圧源１６により回路シミュレーションにより求めた比較電位を発生している。図３（ｃ）には、定電圧源１６の電位ｖｃｏｍの波形も示されている。電位ｖｃｏｍは、電位保持回路３で保持された電位ｖの基準電位に対して定電圧源１６の電圧Ｖａだけ異なる一定の電位である。
【００２３】
オペアンプ１５では、電位保持回路３で保持された電位ｖと定電圧源１６の電位ｖｃｏｍとを比較する。図３（ｃ）を用いて説明すると、オペアンプ１５は、電位保持回路３で保持された電位ｖが電位ｖｃｏｍより大きいときはＨｉｇｈ状態、電位ｖｃｏｍより小さいときはＬｏｗ状態と判断する。そして、オペアンプ１５は、図３（ｄ）のような矩形波の検出信号ｖｏｕｔを出力する。
【００２４】
以上のように、本実施の形態に記載のスケルチ検出回路は、差動増幅回路１が、差動の入力信号を増幅し、シングルエンドの増幅信号を出力するオペアンプ１１で構成され、ゲイン比例回路２が、シングルエンドの増幅信号をゲート電極に入力し、ソース電極より電位保持回路３に電位を供給するｎチャネルトランジスタ１２で構成され、電位保持回路３が、一方の端子をｎチャネルトランジスタ１２のソース電極に接続され、他方の端子をＧＮＤに接続されている電流源１３と、一方の端子をｎチャネルトランジスタ１２のソース電極及び電流源１３に接続され、他方の端子をＧＮＤに接続されている容量１４とで構成され、比較回路４は、電位保持回路３で保持された電位と基準電位とが入力されるオペアンプ１５で構成されているので、高速動作のオペアンプを減らせることができ、消費電力を低減できる。また、コストの高い高速動作のオペアンプを減らせることができるため、部品コストも小さくできる。さらに、オペアンプの増幅回数が減ることになるため、温度や電気特性のバラツキによる影響が受けにくくなり安定動作が可能となる。また、入力差動信号に比例した電位を得られるため、従来のスケルチ検出回路のように入力差動信号の制限を受けなくなる。
【００２５】
なお、オペアンプ１１は高速動作させる必要があるが、オペアンプ１５は電位保持回路３で保持された電位と定電圧源１６の電位Ｖａとを比較するため高速動作させる必要がない。そのため、本実施の形態に記載のスケルチ検出回路は、高速動作させるオペアンプが１つで良い。
【００２６】
（変形例）
図４に、本実施の形態に係るスケルチ検出回路の変形例の回路図を示す。図４でも、差動増幅回路１にオペアンプ１１が設けられており、このオペアンプ１１が入力差動信号を増幅してシングルエンドの増幅信号を出力している。ゲイン比例回路２には、ｐチャネルトランジスタ２１が設けられており、このｐチャネルトランジスタ２１のゲート電極に増幅信号が印加されることで、増幅信号に比例した電位を電位保持回路３に供給している。本実施の形態のスケルチ検出回路と変形例のスケルチ検出回路とは、ｎチャネルトランジスタ１２に代えてｐチャネルトランジスタ２１を用いた点が異なる。本発明は、ｐチャネルトランジスタ２１に限られず、バイポーラトランジスタであっても良い。
【００２７】
電位保持回路３には、電流源１３と容量１４が設けられており、電流源１３及び容量１４の一方の端子がｐチャネルトランジスタ２１のソース電極に接続され、他方の端子が電源にそれぞれ接続されている。比較回路４には、オペアンプ１５が設けられており、このオペアンプ１５の−側端子に電位保持回路３からの電位が供給され、＋側端子に基準電位となる定電圧源１６からの電位が供給される。ｎチャネルトランジスタ１２に代えてｐチャネルトランジスタ２１を用いたため、オペアンプ１５の入力が本実施の形態に比べて逆転している。
【００２８】
次に、変形例に係るスケルチ検出回路の動作について説明する。図５（ａ）は、オペアンプ１１に入力される入力差動信号ｖｉｎ＋，ｖｉｎ−である。この入力差動信号ｖｉｎ＋，ｖｉｎ−がオペアンプ１１でシングルエンドの増幅信号ａに変換され図５（ｂ）のような波形として出力される。この増幅信号ａが、ｐチャネルトランジスタ２１のゲート電極に入力されることで、ｐチャネルトランジスタ２１が動作し増幅信号ａに比例した電位を電位保持回路３に供給する。ｐチャネルトランジスタ２１のソース電極の電位ｖは、増幅信号ａの立ち下がりに従って急峻に立ち下がる。しかし、増幅信号ａが立ち上がる際には、電流源１３を介して電荷を供給する必要があることと、容量１４を有することからｐチャネルトランジスタ１２のソース電極の電位ｖはほぼ一定に保持される。図５（ｃ）に、増幅信号ａが入力された場合の電位保持回路３の出力電位ｖが示されている。
【００２９】
電位保持回路３で保持された電位ｖは、オペアンプ１５の−側に入力されることになる。一方、オペアンプ１５の＋側には、回路シミュレーションにより求めた比較電位が入力される。図５（ｃ）には、定電圧源１６の電位ｖｃｏｍの波形も示されている。電位ｖｃｏｍは、電位保持回路３で保持された電位ｖの基準電位に対して定電圧源１６の電圧Ｖａだけ異なる一定の電位である。
【００３０】
オペアンプ１５では、電位保持回路３で保持された電位ｖと定電圧源１６の電位ｖｃｏｍとを比較する。図５（ｃ）を用いて説明すると、オペアンプ１５は、電位保持回路３で保持された電位ｖが電位ｖｃｏｍより小さいときはＨｉｇｈ状態、電位ｖｃｏｍより大きいときはＬｏｗ状態と判断する。そして、オペアンプ１５は、図５（ｄ）のような矩形波の検出信号ｖｏｕｔを出力する。
【００３１】
以上のように、変形例に記載のスケルチ検出回路は、差動増幅回路１が、差動の入力信号を増幅し、シングルエンドの増幅信号を出力するオペアンプ１１で構成され、ゲイン比例回路２が、シングルエンドの増幅信号をゲート電極に入力し、ソース電極より電位保持回路３に電位を供給するｐチャネルトランジスタ２１で構成され、電位保持回路３が、一方の端子をｐチャネルトランジスタ２１のソース電極に接続され、他方の端子を電源電位に接続されている電流源１３と、一方の端子をｐチャネルトランジスタ２１のソース電極及び電流源１３に接続され、他方の端子を電源電位に接続されている容量１４とで構成され、比較回路４は、電位保持回路３で保持された電位と基準電位とが入力されるオペアンプ１５で構成されているので、本実施の形態と同様、高速動作のオペアンプを減らせることができ、消費電力を低減できる。また、コストの高い高速動作のオペアンプを減らせることができるため、部品コストも小さくできる。さらに、オペアンプの増幅回数が減ることになるため、温度や電気特性のバラツキによる影響が受けにくくなり安定動作が可能となる。また、入力差動信号に比例した電位を得られるため、従来のスケルチ検出回路のように入力差動信号の制限を受けなくなる。
【００３２】
なお、オペアンプ１１は高速動作させる必要があるが、オペアンプ１５は電位保持回路３で保持された電位と定電圧源１６の電位Ｖａとを比較するため高速動作させる必要がない。そのため、本実施の形態に記載のスケルチ検出回路は、高速動作させるオペアンプが１つで良い。
【００３３】
（実施の形態２）
本実施の形態に係るスケルチ検出回路においても、図１のブロック図が適用される。図６に、本実施の形態に係るスケルチ検出回路の回路図を示す。図６では、差動増幅回路１にオペアンプ３１が設けられており、このオペアンプ３１が入力差動信号を増幅して差動の増幅信号を出力している。ゲイン比例回路２には、ｎチャネルトランジスタ３２及びｎチャネルトランジスタ３３が設けられており、このｎチャネルトランジスタ３２のゲート電極には、オペアンプ３１の−側から出力された差動の増幅信号の１つが印加される。また、ｎチャネルトランジスタ３３のゲート電極には、オペアンプ３１の＋側から出力された差動の増幅信号の１つが印加される。ｎチャネルトランジスタ３２及びｎチャネルトランジスタ３３では、印加された差動の増幅信号に比例した電位を電位保持回路３に供給している。なお、本発明は、ｎチャネルトランジスタ３２，３３に限られず、バイポーラトランジスタであっても良い。
【００３４】
電位保持回路３には、電流源３４と容量３５が設けられており、電流源３４及び容量３５の一方の端子がｎチャネルトランジスタ３２及びｎチャネルトランジスタ３３のソース電極に接続され、他方の端子がＧＮＤにそれぞれ接続されている。比較回路４には、オペアンプ１５が設けられており、このオペアンプ１５の＋側端子に電位保持回路３からの電位が供給され、−側端子に基準電位となる定電圧源１６からの電位が供給される。
【００３５】
次に、本実施の形態に係るスケルチ検出回路の動作について説明する。図７（ａ）は、オペアンプ３１に入力される入力差動信号ｖｉｎ＋，ｖｉｎ−である。この入力差動信号ｖｉｎ＋，ｖｉｎ−がオペアンプ３１で増幅されて差動の増幅信号ａ，ｂに変換される。図７（ｂ）に重ね合わせて表示した差動の増幅信号ａ，ｂの波形を示す。この差動の増幅信号ａ，ｂが、ｎチャネルトランジスタ３２及びｎチャネルトランジスタ３３のゲート電極に入力されることで、ｎチャネルトランジスタ３２及びｎチャネルトランジスタ３３が動作し増幅信号ａ，ｂに比例した電位を電位保持回路３に供給する。ｎチャネルトランジスタ３２及びｎチャネルトランジスタ３３のソース電極の電位ｖは、増幅信号ａ，ｂの立ち上がりに従って急峻に立ち上がる。しかし、増幅信号ａ，ｂが立ち下がる際には電流源３４を介して電荷を逃がしているため、ｎチャネルトランジスタ３２及びｎチャネルトランジスタ３３のソース電極の電位ｖは、増幅信号ａ，ｂに遅れて一定の割合で立ち下がる。
【００３６】
さらに、電位保持回路３には容量３５が設けられているためトランジスタ３２及びｎチャネルトランジスタ３３のソース電極の電位ｖは、一定期間保持されることになる。図７（ｃ）に、増幅信号ａ，ｂが入力された場合の電位保持回路３の出力電位ｖが示されている。図７（ｃ）では、増幅信号ａ，ｂの立ち上がりに従って、ｎチャネルトランジスタ３２及びｎチャネルトランジスタ３３のソース電極の電位ｖは急峻に立ち上がり、その後保持されている。本実施の形態では、トランジスタ３２のソース電極の電位とｎチャネルトランジスタ３３のソース電極の電位との合成により電位保持回路３の出力電位ｖが形成される。そのため、実施の形態１に比べて、本実施の形態は、ソース電極の保持したい電位ピークが現れる時間間隔がほぼ半分となり、整流効果を得ることができる。このことは、図７（ｃ）の矩形部の上部と図３（ｃ）の矩形部の上部とを比較すると、図７（ｃ）の矩形部の上部の方が平坦になっていることで表している。
【００３７】
電位保持回路３で保持された電位ｖは、オペアンプ１５の＋側に入力されることになる。一方、オペアンプ１５の−側には、実施の形態１と同様、回路シミュレーションにより求めた比較電位が入力される。図６では、定電圧源１６により回路シミュレーションにより求めた比較電位を発生している。図７（ｃ）には、定電圧源１６の電位ｖｃｏｍの波形も示されている。電位ｖｃｏｍは、電位保持回路３で保持された電位ｖの基準電位に対して定電圧源１６の電圧Ｖａだけ異なる一定の電位である。
【００３８】
オペアンプ１５では、電位保持回路３で保持された電位ｖと定電圧源１６の出力電位ｖｃｏｍとを比較する。図７（ｃ）を用いて説明すると、オペアンプ１５は、電位保持回路３で保持された電位ｖが電位ｖｃｏｍより大きいときはＨｉｇｈ状態、電位ｖｃｏｍより小さいときはＬｏｗ状態と判断する。そして、オペアンプ１５は、図７（ｄ）のような矩形波の検出信号ｖｏｕｔを出力する。
【００３９】
以上のように、本実施の形態に記載のスケルチ検出回路は、差動増幅回路１が、差動の入力信号を増幅し、差動の増幅信号を出力するオペアンプ３１で構成され、ゲイン比例回路２が、差動の一方の増幅信号をゲート電極に入力し、ソース電極より電位保持回路３に電位を供給するｎチャネルトランジスタ３２と、差動の他方の増幅信号をゲート電極に入力し、ソース電極より電位保持回路３に電位を供給するｎチャネルトランジスタ３３とで構成され、電位保持回路３が、一方の端子をｎチャネルトランジスタ３２，３３のソース電極に接続され、他方の端子をＧＮＤに接続されている電流源３４と、一方の端子をｎチャネルトランジスタ３２，３３のソース電極及び電流源３４に接続され、他方の端子をＧＮＤに接続されている容量３５とで構成され、比較回路４が、電位保持回路３で保持された電位と基準電位とが入力されるオペアンプ１５で構成されているので、電位保持回路３から出力される電位が整流効果により、ほぼ平坦な矩形波となり、スケルチ検出回路の動作の安定性がさらに増す。
【００４０】
なお、オペアンプ３１は高速動作させる必要があるが、オペアンプ１５は電位保持回路３で保持された電位と定電圧源１６の電位Ｖａとを比較するため高速動作させる必要がない。そのため、本実施の形態に記載のスケルチ検出回路は、高速動作させるオペアンプが１つで良い。
【００４１】
（変形例）
図８に、本実施の形態に係るスケルチ検出回路の変形例の回路図を示す。図８でも、差動増幅回路１にオペアンプ３１が設けられており、このオペアンプ３１が入力差動信号を増幅して差動の増幅信号を出力している。ゲイン比例回路２には、ｐチャネルトランジスタ４１及びｐチャネルトランジスタ４２が設けられており、このｐチャネルトランジスタ４１及びｐチャネルトランジスタ４２のゲート電極に増幅信号が印加されることで、増幅信号に比例した電位を電位保持回路３に供給している。本実施の形態のスケルチ検出回路と変形例のスケルチ検出回路とは、ｎチャネルトランジスタ３２及びｎチャネルトランジスタ３３に代えてｐチャネルトランジスタ４１及びｐチャネルトランジスタ４２を用いた点が異なる。本発明は、ｐチャネルトランジスタ４１，４２に限られず、バイポーラトランジスタであっても良い。
【００４２】
電位保持回路３には、電流源３４と容量３５が設けられており、電流源３４及び容量３５の一方の端子がｐチャネルトランジスタ４１及びｐチャネルトランジスタ４２のソース電極に接続され、他方の端子が電源にそれぞれ接続されている。比較回路４には、オペアンプ１５が設けられており、このオペアンプ１５の−側端子に電位保持回路３からの電位が供給され、＋側端子に基準電位となる定電圧源１６からの電位が供給される。ｎチャネルトランジスタ３２及びｎチャネルトランジスタ３３に代えてｐチャネルトランジスタ４１及びｐチャネルトランジスタ４２を用いたため、オペアンプ１５への入力が本実施の形態に比べて逆転している。
【００４３】
次に、変形例に係るスケルチ検出回路の動作について説明する。図９（ａ）は、オペアンプ３１に入力される入力差動信号ｖｉｎ＋，ｖｉｎ−である。この入力差動信号ｖｉｎ＋，ｖｉｎ−がオペアンプ３１で差動の増幅信号ａ，ｂに変換される。図９（ｂ）に重ね合わせて表示した差動の増幅信号ａ，ｂの波形を示す。この差動の増幅信号ａ，ｂが、ｐチャネルトランジスタ４１及びｐチャネルトランジスタ４２のゲート電極に入力されることで、ｐチャネルトランジスタ４１及びｐチャネルトランジスタ４２が動作し増幅信号ａ，ｂに比例した電位を電位保持回路３に供給する。ｐチャネルトランジスタ４１及びｐチャネルトランジスタ４２のソース電極の電位ｖは、増幅信号ａ，ｂの立ち下がりに従って急峻に立ち下がる。しかし、増幅信号ａ，ｂが立ち上がる際には電流源１３を介して電荷を供給していることと、容量１４を有することからｐチャネルトランジスタ４１及びｐチャネルトランジスタ４２のソース電極の電位ｖはほぼ一定に保持される。図９（ｃ）に、増幅信号が入力された場合の電位保持回路３の出力電位ｖが示されている。
【００４４】
電位保持回路３で保持された電位ｖは、オペアンプ１５の−側に入力されることになる。一方、オペアンプ１５の＋側には、回路シミュレーションにより求めた比較電位が入力される。図９（ｃ）には、定電圧源１６の電位ｖｃｏｍの波形も示されている。電位ｖｃｏｍは、電位保持回路３で保持された電位ｖの基準電位に対して定電圧源１６の電圧Ｖａだけ異なる一定の電位である。
【００４５】
オペアンプ１５では、電位保持回路３で保持された電位ｖと定電圧源１６の電位ｖｃｏｍとを比較する。図９（ｃ）を用いて説明すると、オペアンプ１５は、電位保持回路３で保持された電位ｖが電位ｖｃｏｍより小さいときはＨｉｇｈ状態、電位ｖｃｏｍより大きいときはＬｏｗ状態と判断する。そして、オペアンプ１５は、図９（ｄ）のような矩形波の検出信号ｖｏｕｔを出力する。
【００４６】
以上のように、変形例に記載のスケルチ検出回路は、差動増幅回路１が、差動の入力信号を増幅し、差動の増幅信号を出力するオペアンプ３１で構成され、ゲイン比例回路２が、差動の一方の増幅信号をゲート電極に入力し、ソース電極より電位保持回路３に電位を供給するｐチャネルトランジスタ４１と、差動の他方の増幅信号をゲート電極に入力し、ソース電極より電位保持回路３に電位を供給するｐチャネルトランジスタ４２とで構成され、電位保持回路３が、一方の端子をｐチャネルトランジスタ４１，４２のソース電極に接続され、他方の端子を電源電位に接続されている電流源３４と、一方の端子をｐチャネルトランジスタ４１，４２のソース電極及び電流源３４に接続され、他方の端子を電源電位に接続されている容量３５とで構成され、比較回路４が、電位保持回路３で保持された電位と基準電位とが入力されるオペアンプ１５で構成されているので、本実施の形態と同様、電位保持回路３から出力される電位が整流効果により、ほぼ平坦な矩形波となり、スケルチ検出回路の動作の安定性がさらに増す。
【００４７】
（実施の形態３）
本実施の形態に係るスケルチ検出回路においても、図１のブロック図が適用される。本実施の形態では、実施の形態１の定電圧源１６に代えてレプリカ回路を用いている。図１０に、本実施の形態に係るスケルチ検出回路の回路図を示す。図１０では、差動増幅回路１にオペアンプ１１が設けられており、このオペアンプ１１が入力差動信号を増幅してシングルエンドの増幅信号を出力している。ゲイン比例回路２には、ｎチャネルトランジスタ１２が設けられており、このｎチャネルトランジスタ１２のゲート電極には、オペアンプ１１から出力されたシングルエンドの増幅信号が印加される。ｎチャネルトランジスタ１２では、印加された増幅信号に比例した電位を電位保持回路３に供給している。
【００４８】
電位保持回路３には、電流源１３と容量１４が設けられており、電流源１３及び容量１４の一方の端子がｎチャネルトランジスタ１２のソース電極に接続され、他方の端子がＧＮＤにそれぞれ接続されている。比較回路４には、オペアンプ１５が設けられており、このオペアンプ１５の＋側端子に電位保持回路３からの電位が供給される。
【００４９】
一方、オペアンプ１５の−側端子に入力される電位は、実施の形態１の定電圧源１６の電位ではなく、＋側端子に接続された回路と同じ構成のレプリカ回路５０により生成された電位である。このレプリカ回路５０は、オペアンプ１１に対応してオペアンプ５１が設けられており、このオペアンプ５１には定電圧源５２が接続されている。この定電圧源５２は、例えばＳｅｒｉａｌＡＴＡのＳＰＥＣ相当である５０ｍＶの電圧を発生させる。ｎチャネルトランジスタ１２に対応して設けられたｎチャネルトランジスタ５３は、ゲート電極にオペアンプ５１の出力が入力される。このｎチャネルトランジスタ５３では、ゲート電極に印加された電位に基づいてソース電極から電位を供給する。
【００５０】
ｎチャネルトランジスタ５３のソース電極から供給された電位は、電流源１３と容量１４に対応して設けられた電流源５４と容量５５によって保持される。電流源５４と容量５５によって保持された電位は、オペアンプ１５の−側端子に基準電位として供給される。
【００５１】
次に、本実施の形態に係るスケルチ検出回路の動作について説明する。図１１（ａ）は、オペアンプ１１に入力される入力差動信号ｖｉｎ＋，ｖｉｎ−である。この入力差動信号ｖｉｎ＋，ｖｉｎ−がオペアンプ１１で増幅されてシングルエンドの増幅信号ａに変換される。図１１（ｂ）にオペアンプ１１から出力された増幅信号ａの波形を示す。この増幅信号ａが、ｎチャネルトランジスタ１２のゲート電極に入力されることで、ｎチャネルトランジスタ１２が動作し増幅信号ａに比例した電位を電位保持回路３に供給する。ｎチャネルトランジスタ１２のソース電極の電位ｖは、増幅信号の立ち上がりに従って急峻に立ち上がる。しかし、増幅信号ａが立ち下がる際には電流源１３を介して電荷を逃がしているため、ｎチャネルトランジスタ１２のソース電極の電位ｖは、増幅信号に遅れて一定の割合で立ち下がる。
【００５２】
さらに、電位保持回路３には容量１４が設けられているためトランジスタ１２のソース電極の電位ｖは、一定期間保持されることになる。図１１（ｃ）に、増幅信号ａが入力された場合の電位保持回路３の出力電位ｖが示されている。図１１（ｃ）では、増幅信号ａの立ち上がりに従って、ｎチャネルトランジスタ１２のソース電極の電位ｖは急峻に立ち上がり、その後保持されている。
【００５３】
電位保持回路３で保持された電位ｖは、オペアンプ１５の＋側に入力されることになる。一方、オペアンプ１５の−側には、レプリカ回路５０からの出力電位が入力される。図１１（ｃ）には、レプリカ回路５０からの出力電位ｖｃｏｍの波形も示されている。電位ｖｃｏｍは、電位保持回路３で保持された電位の基準電位ｖに対して所定の電圧だけ異なる一定の電位である。
【００５４】
オペアンプ１５では、電位保持回路３で保持された電位ｖとレプリカ回路５０からの出力電位ｖｃｏｍとを比較する。図１１（ｃ）を用いて説明すると、オペアンプ１５は、電位保持回路３で保持された電位ｖが電位ｖｃｏｍより大きいときはＨｉｇｈ状態、電位ｖｃｏｍより小さいときはＬｏｗ状態と判断する。そして、オペアンプ１５は、図１１（ｄ）のような矩形波の検出信号ｖｏｕｔを出力する。
【００５５】
以上のように、本実施の形態に記載のスケルチ検出回路は、差動増幅回路１、ゲイン比例回路２及び電位保持回路３と同じ回路構成を有し、差動の入力信号に代えて一定の電圧が印加されるレプリカ回路５０をさらに備え、比較回路４は、基準電位の代わりにレプリカ回路５０からの出力電位が入力されるので、異なる回路構成により基準電位を生成するのではなく、ほぼ同じ回路構成のレプリカ回路５０により基準電位が生成されるため基準電位の精度が向上し、スケルチ検出回路の動作の安定性がさらに増す。但し、回路の占有面積はほぼ倍になり、それに伴って消費電力もほぼ倍になる。
【００５６】
（変形例１）
図１２に、本実施の形態の変形例１に係るスケルチ検出回路図を示す。本変形例では、実施の形態１の変形例の定電圧源１６に代えてレプリカ回路６０を用いている。図１２では、オペアンプ１１が入力差動信号を増幅してシングルエンドの増幅信号を出力している。ｐチャネルトランジスタ２１のゲート電極には、オペアンプ１１から出力されたシングルエンドの増幅信号が印加される。ｐチャネルトランジスタ２１では、印加された増幅信号に比例した電位を電流源１３と容量１４に供給している。電流源１３及び容量１４の一方の端子がｐチャネルトランジスタ３１のソース電極に接続され、他方の端子が電源にそれぞれ接続されている。オペアンプ１５の−側端子に電流源１３及び容量１４により保持された電位が供給される。
【００５７】
一方、オペアンプ１５の＋側端子に入力される電位は、−側端子に接続された回路と同じ構成のレプリカ回路６０により生成された電位である。このレプリカ回路６０は、オペアンプ１１に対応してオペアンプ５１が設けられており、このオペアンプ５１には定電圧源５２が接続されている。ｐチャネルトランジスタ２１に対応して設けられたｐチャネルトランジスタ６１は、ゲート電極にオペアンプ５１の出力が入力される。このｐチャネルトランジスタ６１では、ゲート電極に印加された電位に基づいてソース電極から電位を供給する。ｐチャネルトランジスタ６１のソース電極から供給された電位は、電流源１３と容量１４に対応して設けられた電流源５４と容量５５によって保持される。電流源５４と容量５５によって保持された電位は、オペアンプ１５の＋側端子に基準電位として供給される。
【００５８】
本実施の形態の変形例１に係るスケルチ検出回路の動作について説明する。図１３（ａ）に、オペアンプ１１から出力されたシングルエンドの増幅信号ａを示す。図１３（ｂ）にオペアンプ１５に入力される信号ｖを示す。図１３（ｃ）にオペアンプ１５に出力される検出信号ｖｏｕｔを示す。これらの信号波形は、基本的に実施の形態１の変形例と同じであり、本変形例のスケルチ検出回路の動作は、基準電位の精度が向上する以外は実施の形態１の変形例と同じである。そのため、本変形例のスケルチ検出回路の動作については、詳細な説明を省略する。
【００５９】
（変形例２）
図１４に、変形例２に係るスケルチ検出回路図を示す。本変形例では、実施の形態２の定電圧源１６に代えてレプリカ回路７０を用いている。図１４では、オペアンプ３１が入力差動信号を増幅して差動の増幅信号を出力している。ｎチャネルトランジスタ３２のゲート電極には、オペアンプ３１の−側から出力された差動の増幅信号の１つの信号が印加される。ｎチャネルトランジスタ３３のゲート電極には、オペアンプ３１の＋側から出力された差動の増幅信号の１つの信号が印加される。ｎチャネルトランジスタ３２及びｎチャネルトランジスタ３３では、印加された増幅信号に比例した電位を電流源３４と容量３５に供給している。電流源３４及び容量３５の一方の端子がｎチャネルトランジスタ３２及びｎチャネルトランジスタ３３のソース電極に接続され、他方の端子がＧＮＤにそれぞれ接続されている。オペアンプ１５の＋側端子に電流源３４及び容量３５により保持された電位が供給される。
【００６０】
一方、オペアンプ１５の−側端子に入力される電位は、＋側端子に接続された回路と同じ構成のレプリカ回路７０により生成された電位である。このレプリカ回路７０は、オペアンプ３１に対応してオペアンプ７１が設けられており、このオペアンプ７１には定電圧源７２が接続されている。ｎチャネルトランジスタ３２及びｎチャネルトランジスタ３３に対応して設けられたｎチャネルトランジスタ７３及びｎチャネルトランジスタ７４は、ゲート電極にオペアンプ７１の出力が入力される。このｎチャネルトランジスタ７３及びｎチャネルトランジスタ７４では、ゲート電極に印加された電位に基づいてソース電極から電位を供給する。ｎチャネルトランジスタ７３及びｎチャネルトランジスタ７４のソース電極から供給された電位は、電流源３４と容量３５に対応して設けられた電流源７５と容量７６によって保持される。電流源７５と容量７６によって保持された電位は、オペアンプ１５の−側端子に基準電位として供給される。
【００６１】
変形例２に係るスケルチ検出回路の動作について説明する。図１５（ａ）に、オペアンプ３１から出力された差動の増幅信号ａ，ｂを示す。図１５（ｂ）にオペアンプ１５に入力される信号ｖを示す。図１５（ｃ）にオペアンプ１５に出力される検出信号ｖｏｕｔを示す。これらの信号波形は、基本的に実施の形態２と同じであり、本変形例のスケルチ検出回路の動作は、基準電位の精度が向上する以外は実施の形態２と同じである。そのため、本変形例のスケルチ検出回路の動作については、詳細な説明を省略する。
【００６２】
（変形例３）
図１６に、変形例３に係るスケルチ検出回路図を示す。本変形例では、実施の形態２の変形例の定電圧源１６に代えてレプリカ回路８０を用いている。図１６では、オペアンプ３１が入力差動信号を増幅して差動の増幅信号を出力している。ｐチャネルトランジスタ４１のゲート電極には、オペアンプ３１の＋側から出力された差動の増幅信号の１つの信号が印加される。ｐチャネルトランジスタ４２のゲート電極には、オペアンプ３１の−側から出力された差動の増幅信号の１つの信号が印加される。ｐチャネルトランジスタ４１及びｐチャネルトランジスタ４２では、印加された増幅信号に比例した電位を電流源３４と容量３５に供給している。電流源３４及び容量３５の一方の端子がｐチャネルトランジスタ４１及びｐチャネルトランジスタ４２のソース電極に接続され、他方の端子が電源にそれぞれ接続されている。オペアンプ１５の−側端子に電流源３４及び容量３５により保持された電位が供給される。
【００６３】
一方、オペアンプ１５の＋側端子に入力される電位は、−側端子に接続された回路と同じ構成のレプリカ回路８０により生成された電位である。このレプリカ回路８０は、オペアンプ３１に対応してオペアンプ７１が設けられており、このオペアンプ７１には定電圧源７２が接続されている。ｐチャネルトランジスタ４１及びｐチャネルトランジスタ４２に対応して設けられたｐチャネルトランジスタ８１及びｐチャネルトランジスタ８２は、ゲート電極にオペアンプ７１の出力が入力される。このｐチャネルトランジスタ８１及びｐチャネルトランジスタ８２では、ゲート電極に印加された電位に基づいてソース電極から電位を供給する。ｐチャネルトランジスタ８１及びｐチャネルトランジスタ８２のソース電極から供給された電位は、電流源３４と容量３５に対応して設けられた電流源７５と容量７６によって保持される。電流源７５と容量７６によって保持された電位は、オペアンプ１５の＋側端子に基準電位として供給される。
【００６４】
変形例３に係るスケルチ検出回路の動作について説明する。図１７（ａ）に、オペアンプ３１から出力された差動の増幅信号ａ，ｂを示す。図１７（ｂ）にオペアンプ１５に入力される信号ｖを示す。図１７（ｃ）にオペアンプ１５に出力される検出信号ｖｏｕｔを示す。これらの信号波形は、基本的に実施の形態２の変形例と同じであり、本変形例のスケルチ検出回路の動作は、基準電位の精度が向上する以外は実施の形態２の変形例と同じである。そのため、本変形例のスケルチ検出回路の動作については、詳細な説明を省略する。
【００６５】
なお、本発明は、ｎチャネルトランジスタ１２，３２，３３，５３，７３，７４、ｐチャネルトランジスタ２１，４１，４２，６１，８１，８２に限られず、バイポーラトランジスタであっても良い。
【図面の簡単な説明】
【００６６】
【図１】本発明の実施の形態１に係るスケルチ検出回路のブロック図である。
【図２】本発明の実施の形態１に係るスケルチ検出回路の回路図である。
【図３】本発明の実施の形態１に係るスケルチ検出回路の信号波形を示す図である。
【図４】本発明の実施の形態１の変形例に係るスケルチ検出回路の回路図である。
【図５】本発明の実施の形態１の変形例に係るスケルチ検出回路の信号波形を示す図である。
【図６】本発明の実施の形態２に係るスケルチ検出回路の回路図である。
【図７】本発明の実施の形態２に係るスケルチ検出回路の波形を示す図である。
【図８】本発明の実施の形態２の変形例に係るスケルチ検出回路の回路図である。
【図９】本発明の実施の形態２の変形例に係るスケルチ検出回路の信号波形を示す図である。
【図１０】本発明の実施の形態３に係るスケルチ検出回路の回路図である。
【図１１】本発明の実施の形態３に係るスケルチ検出回路の波形を示す図である。
【図１２】本発明の実施の形態３の変形例に係るスケルチ検出回路の回路図である。
【図１３】本発明の実施の形態３の変形例に係るスケルチ検出回路の信号波形を示す図である。
【図１４】本発明の実施の形態３の変形例に係るスケルチ検出回路の回路図である。
【図１５】本発明の実施の形態３の変形例に係るスケルチ検出回路の信号波形を示す図である。
【図１６】本発明の実施の形態３の変形例に係るスケルチ検出回路の回路図である。
【図１７】本発明の実施の形態３の変形例に係るスケルチ検出回路の信号波形を示す図である。
【符号の説明】
【００６７】
１  差動増幅回路、２  ゲイン比例回路、３  電位保持回路、４  比較回路、１１，３１，５１，１５，７１  オペアンプ、１２，３２，３３，５３，７３，７４  ｎチャネルトランジスタ、１３，３４，５４，７５  電流源、１４，３５，５５，７６  容量、１６，５２，７２  定電圧源、２１，４１，４２，６１，８１，８２  ｐチャネルトランジスタ、５０，６０，７０，８０  レプリカ回路。
【図１】
2005086646.tif 000003
【図２】
2005086646.tif 000004
【図３】
2005086646.tif 000005
【図４】
2005086646.tif 000006
【図５】
2005086646.tif 000007
【図６】
2005086646.tif 000008
【図７】
2005086646.tif 000009
【図８】
2005086646.tif 000010
【図９】
2005086646.tif 000011
【図１０】
2005086646.tif 000012
【図１１】
2005086646.tif 000013
【図１２】
2005086646.tif 000014
【図１３】
2005086646.tif 000015
【図１４】
2005086646.tif 000016
【図１５】
2005086646.tif 000017
【図１６】
2005086646.tif 000018
【図１７】
2005086646.tif 000019